(57)【特許請求の範囲】
【請求項１】
本体に着脱自在に収納される有底筒状の金属製の鍋と、本体の上面開口部を開閉自在に覆う蓋体と、この蓋体の下面を形成し前記鍋の上部開口を覆う金属製の蓋下と、前記鍋を支持する導電性材料で構成した保護枠と、この保護枠に設けた前記鍋を誘導加熱する加熱コイルと、マイクロ波を発信して前記鍋内の調理物を加熱するマグネトロンと、マグネトロンを駆動するマグネトロン駆動電源と、マグネトロン駆動電源への電源の供給をオンオフするマイクロスイッチと、蓋体を本体に閉じてから前記マイクロスイッチをオンし、かつ蓋体が開く前にマイクロスイッチをオフするラッチ手段とを備え、前記ラッチ手段は、蓋下に一体に取り付けたフックが嵌合するラッチ爪を備えたラッチレバーと、ラッチレバーの後方に設けた前記フックのセットによって押される関知部を一体に形成した検知レバーとによって構成し、前記ラッチレバーと前記検知レバーの回動軸を共通とし、前記ラッチレバーは、前記ラッチレバーを前方に付勢するバネを受ける押しボタンを一体に有する複合加熱炊飯器。
【請求項２】
マイクロスイッチは、ラッチレバーの左右に同数配置した請求項１記載の複合加熱炊飯器。
【発明の詳細な説明】
【０００１】
【発明の属する技術分野】
本発明はマグネトロンが発生するマイクロ波と、加熱コイルから発生する高周波磁界の両方による加熱によって炊飯を行う複合加熱炊飯器に関するものである。
【０００２】
【従来の技術】
従来の高周波加熱炊飯器は、実開昭５９−１４５３１４号公報に開示されているような構成となっている。すなわち、本体内に米を収容する鍋と、鍋の側面を囲う金属性の保護枠を備え、本体の上部を開閉自在に覆う蓋体とを有している。この鍋は底部に高周波磁界を発生する加熱コイルを備えている。また蓋体は、前記保護枠と共にキャビティを形成する鍋の上面開口部を覆う金属製の蓋下を有している。また前記蓋体には、マイクロ波を発信するマグネトロンを設置している。こうして、マグネトロンが発信するマイクロ波は前記キャビティをマイクロ波加熱し、また加熱コイルは高周波磁界を発生して鍋を誘導加熱する。
【０００３】
以上のように、鍋はマグネトロンが発信するマイクロ波によるマイクロ波加熱と、加熱コイルが発生する高周波磁界による誘導加熱の両方によって加熱され、短時間で炊飯が出来るものである。
【０００４】
【発明が解決しようとする課題】
複合加熱炊飯器は、マグネトロンによって発信したマイクロ波を炊飯に利用する構成としており、電波漏洩に対しては十分な配慮をする必要がある。前記従来の構成の複合加熱炊飯器は、蓋の開閉時にこの電波漏洩が発生しやすいという課題を有している。
【０００５】
【課題を解決するための手段】
本発明はこのような従来の構成が有している課題を解決するもので、ラッチ手段によって蓋体を本体に閉じてからマグネトロンを駆動する、またマグネトロンを停止してから蓋体が開く構成の複合加熱炊飯器としている。
【０００６】
【発明の実施の形態】
請求項１に記載した発明は、検知レバーとラッチレバーの差動によってマイクロスイッチをオンオフし、蓋体が本体に完全に閉まってからマグネトロン駆動電源に電源を供給してマグネトロンを動作させ、また蓋体が開く前にマグネトロンを停止する安全な複合加熱炊飯器としている。
【０００７】
さらに、ラッチレバーと検知レバーの回動軸を共通として、ラッチレバーと検知レバーの回動軌跡を同一として、軸等の磨耗が少なく、動作不良の発生を防止できる複合加熱炊飯器としている。
【０００８】
さらに、ラッチレバーは、ラッチレバーを前方に付勢するバネを受ける押しボタンを一体に有する構成として、全体を薄く形成でき、本体を小さく形成できる複合加熱炊飯器としている。
【０００９】
請求項２に記載した発明は、マイクロスイッチは、ラッチレバーの左右に同数配置するようにして、ラッチレバーの回動時にラッチレバーの両側に同様に力がかかるようにして、ラッチレバーがねじれて倒れたりして途中で引っかかる等の異常を回避できる複合加熱炊飯器としている。
【００１０】
【実施例】
以下本発明の実施例について説明する。図１は本発明の複合加熱炊飯器の構成を示す断面図である。
【００１１】
本実施例の複合加熱炊飯器は、本体１と、本体１の上部を開閉自在に覆っている蓋体２とから成っている。本体１内には、ステンレスもしくはその複合材料等を使用した磁性金属製の有底筒状の鍋３を着脱自在に収納している。鍋３は、鍋３を収納した状態では鍋３の側面と底面を囲う金属製の保護枠４に支持されている。つまり、鍋３は開口部の周縁に形成したフランジ３ａを保護枠４に懸架しているものである。保護枠４の底部には、つまり鍋３の下部には、高周波磁界を発生して鍋３を誘導加熱する加熱コイル５を設けている。また、鍋３の後方の空間部には、マイクロ波を発信するマグネトロン６と、マグネトロン６と加熱コイル５の動作を制御する制御手段７と、制御手段７の一部を構成するマグネトロン駆動電源７ａとを配置している。マグネトロン６は、マグネトロン６が発信するマイクロ波を空中に放出するアンテナ６ａと、マイクロ波を案内する導波管６ｂを備えている。また蓋２は、蓋２を閉じた状態では鍋３の上面の開口部と本体１の上面の開口部を覆う金属製の蓋下２ａを有している。つまり蓋下２ａは、蓋２を閉じた状態では保護枠４と共にマグネトロン６が発信するマイクロ波による加熱空間であるキャビティを構成している。前記導波管６ｂは、このキャビティまでマイクロ波を案内している。
【００１２】
保護枠４の上方には、保護枠４の一部を箱形に成形したチョーク４ａを多数配置しており、マイクロ波を遮蔽している。蓋体２は、保護枠４の表面に設けているヒンジ９によって、蓋下２ａと共に保護枠４に対して上方向に回動自在に結合されている。８は、保護枠４とほぼ一体に保護枠４の周囲を取り巻くように形成した上枠である。
【００１３】
また１２は、蓋下２ａとほぼ一体に前記ヒンジ１１と相対する側に設けているフックで、本体１に設けているラッチ手段に係合するようになっている。ラッチ手段は、図２に示しているように、蓋下２ａに一体に取り付けたフック１２が嵌合するラッチ爪１４を備えたラッチレバー１３と、ラッチレバー１３の後方に設けた前記フック１２のセットによって押される関知部１５を一体に形成した検知レバー１６と、検知レバー１６とラッチレバー１３との差動により駆動されるマイクロスイッチ１７とによって構成している。
【００１４】
以下本実施例の動作について説明する。使用者が図示していない炊飯釦を押して炊飯を開始すると、制御手段７が動作を開始する。つまり、マグネトロン６と加熱コイル５とが動作する。マグネトロン６が動作すると、マイクロ波を発信する。このマイクロ波は導波管６ｂによってキャビティまで案内され、キャビティ内に配置している鍋３に収容している炊飯物を加熱する。このマイクロ波による加熱は、主として鍋３の表面部分を、つまり水面を中心に行われるものである。こうして所定時間が経過すると、制御手段７は加熱コイル５に高周波電流を通電する。高周波電流を通電されて、加熱コイル５は高周波磁界を発生する。この高周波磁界は鍋３と鎖交して、鍋３全体は誘導加熱される。こうして鍋３の発熱によって、炊飯物は対流して、炊飯物全体が加熱される。このマグネトロン６によるマイクロ波加熱と、加熱コイル５による誘導加熱の両方を併用することによって、炊飯物は短時間で炊飯が完了する。
【００１５】
このとき本実施例によれば、図３に示しているように、マイクロスイッチ１７が入ってからマグネトロン駆動電源７ａに電源２２が供給され、制御手段７が動作して、マグネトロン６がマイクロ波の発信を開始するようになっている。このマイクロスイッチ１７は、検知レバー１６とラッチレバー１３との差動によって駆動されるものである。以下この差動動作について説明する。
【００１６】
使用者が蓋体２を閉じると、蓋下２ａに一体に取り付けているフック１２が本体１に設けているラッチ手段に係合する。図４はこの係合が完了した状態を示しており、上部から降りてきたフック１２がラッチ爪１４によって係止され、同時に検知レバー１６の関知部１５がフック１２の一部に押され、ラッチレバー１３と検知レバー１６との間に差動を生じるものである。この検知レバー１６の回動と共に、検知レバー１６と一体に設けたスイッチ棒２０が移動し、ラッチレバー１３に一体に設けているマイクロスイッチ１７をオンまたはオフするものである。差動によって同時にラッチレバー１３と略一体に回動するマイクロスイッチ１７ととが接触し、マイクロスイッチ１７はオンまたはオフする。つまりマイクロスイッチ１７が、常時開のタイプであれば押されることで回路が閉じ、離されることで回路が開くものである。また、常時閉のタイプのものは押されることで回路が開き、離されることで回路が閉じるものである。つまり使用者が蓋体２を完全に閉めてから、マグネトロン６が動作してマイクロ波を発信するものである。
【００１７】
また使用者が炊飯工程を終了して蓋体２を開くときには、押しボタン１３ｂを押すものである。押しボタン１３ｂは、ラッチレバー１３のほぼ中央部にラッチレバー１３と一体に設けており、本体１の外部から操作できるように本体１の一部を切り欠いて押しボタン１３ｂの頭部が本体１の外部に露出した構成となっている。押しボタン１３ｂを押すと、押しボタン１３ｂ内に設けているラッチレバーを前方に付勢しているバネ１８が押されて、ラッチレバー１３がラッチレバー軸１３ａを中心に回動する。この回動によって、ラッチ爪１４によって係合されていたフック１２が外れる。このフック１２が外れる前に、ラッチレバー１３と一体に設けているマイクロスイッチ１７が回動して、スイッチ棒２０と接触してオフするものである。つまり、蓋体２を開く前にマグネトロン６は動作を終了し、マイクロ波の発信を停止するものである。
【００１８】
またこのとき本実施例では、図２・図４に示しているように、ラッチレバー１３を回動するラッチレバー軸１３ａと、検知レバー１６を回動する検知レバー軸１６ａとは同軸に設けているものである。このため、例えば蓋体２を開放するためにラッチレバー１３と一体に形成した押しボタン１３ｂを押す操作の際、もしくは、蓋体２を閉める操作によってフック１２が本体１のラッチ手段を構成するラッチレバー１３に係合する際にも、同じ回動軸によって回動するものである。このため、軸等に余分な力が発生しないため、磨耗が少なく、ひいては動作不良を発生することも防止できるものである。
【００１９】
またこのとき本実施例では、図５に示しているように、関知部１５は、ラッチ爪１４の平面形状よりも小さく、かつラッチ爪１４の下側を貫通して突出する形状としているものである。つまり関知部１５は、ラッチ爪１４の下に設けた穴１４ａから突出しているものである。この穴１４ａはラッチ爪１４の幅より若干小さい設定としてあり、その中央部分には、下方向に、つまりラッチ爪１４とは反対方向に縦溝１４ｂを形成されている。また関知部１５の下面には、この縦溝１４ｂに嵌合する縦リブ１５ｂを設けている。縦リブ１５ｂは、上方から降りてきたフック１２に押されて移動する場合にこの移動方向をガイドすると共に関知部１５の強度を補強する機能を果たしているものである。
【００２０】
以上のように構成することによって、つまりラッチレバー１３のラッチ爪１４の下に検知レバー１６の関知部１５が隠れるような構成とすることによって、本体１の外部より棒等の異物を挿入したとしても、最初にラッチレバー１３のラッチ爪１４に当たってラッチレバー１３が回動するため、マイクロスイッチ１７がスイッチ棒２０に押されて回路がオフするものである。つまり、マグネトロン６がマイクロ波の発信を起こすことが無く、安全性が向上するものである。
【００２１】
また本実施例ではマイクロスイッチ１７は、図２に示しているように１個だけ使用する構成としているが、ラッチレバー１３の左右に１個ずつ配置して図６に示すような回路構成とすることもできるものである。つまりマイクロスイッチ１７は回路全体をオンオフし、マイクロスイッチ２２は制御手段７をオンオフするようにしているものである。図７は、マイクロスイッチをラッチレバー１３の左右に１個ずつ配置した構成を説明する説明図である。１７・２２は、押しボタン１３ｂを中心に対象に設けた２つのマイクロスイッチである。マイクロスイッチ１７・２２の直下にはラッチレバー１３にスイッチ棒２０を設けて、それぞれのマイクロスイッチを駆動している。
【００２２】
なお本実施例では、マイクロスイッチはラッチレバー１３の左右に１個ずつ配置した構成としているが、特に１個に限定する必要はなく、要はラッチレバー１３の左右に同数ずつ配置するようにすれば発明の目的を達成することが出来るものである。
【００２３】
以上のように、スイッチ棒２０・マイクロスイッチ１７・マイクロスイッチ２２を対象に設けているため、反荷重によってラッチレバー１３がねじれたりして動作不良を起こすことが無く、安定した動作が期待できるものである。また例えば、マイクロスイッチ１７がオンしてからマイクロスイッチ２２がオンし、マイクロスイッチ２２がオフしてからマイクロスイッチ１７がオフするように構成した場合には、マイクロスイッチ１７の端子が溶着したような場合であっても、マイクロスイッチ２２が存在しているため回路が短絡するおそれが無く安全性の高い回路構成を実現できるものである。
【００２４】
また本実施例によれば、図２に示しているように、ラッチレバー１３は、ラッチレバー１３を前方に付勢するバネ１８を受ける押しボタン１３ｂを一体に有する構成としているものである。このため、押しボタン１３ｂの中にバネ１８を配置することができ、全体を薄く形成できるものである。従って、本体１を小さく形成することができるものである。
【００２５】
また本実施例によれば、図５・図７に示しているように関知部１５は下方に縦リブ１５ｂを有する構成としているものである。このため、関知部１５は縦リブ１５ｂによって補強され、同時に関知部１５の動作が縦リブ１５ｂによってガイドされ、安定した検知動作を行うことが出来るものである。
【００２６】
またこのとき本体１には、図８に示しているように、蓋体２を本体１に閉塞するときに本体１内に挿入されるフック１２を受けるフック挿入口２４を設けている。フック挿入口２４は幅方向に分割した形状としており、強度を向上している。また蓋体２の横方向への移動をガイドし、位置ずれを防止している。
【００２７】
【発明の効果】
請求項１に記載した発明は、本体に着脱自在に収納される有底筒状の金属製の鍋と、本体の上面開口部を開閉自在に覆う蓋体と、この蓋体の下面を形成し前記鍋の上部開口を覆う金属製の蓋下と、前記鍋を支持する導電性材料で構成した保護枠と、この保護枠に設けた前記鍋を誘導加熱する加熱コイルと、マイクロ波を発信して前記鍋内の調理物を加熱するマグネトロンと、マグネトロンを駆動するマグネトロン駆動電源と、マグネトロン駆動電源への電源の供給をオンオフするマイクロスイッチと、蓋体を本体に閉じてから前記マイクロスイッチをオンし、かつ蓋体が開く前にマイクロスイッチをオフするラッチ手段とを備え、前記ラッチ手段は、蓋下に一体に取り付けたフックが嵌合するラッチ爪を備えたラッチレバーと、ラッチレバーの後方に設けた前記フックのセットによって押される関知部を一体に形成した検知レバーとによって構成して、蓋体を本体に閉じてからマグネトロンを駆動する、またマグネトロンを停止してから蓋体が開く安全な複合加熱炊飯器を実現するものである。
【００２８】
さらに、ラッチレバーと検知レバーの回動軸を共通とした構成として、ラッチレバーと検知レバーの回動軌跡を同一として、軸等の磨耗が少なく、動作不良の発生を防止できる複合加熱炊飯器を実現するものである。
【００２９】
さらに、ラッチレバーは、ラッチレバーを前方に付勢するバネを受ける押しボタンを一体に有する構成として、全体を薄く形成でき、本体を小さく形成できる複合加熱炊飯器を実現できるものである。
【００３０】
請求項２に記載した発明は、マイクロスイッチは、ラッチレバーの左右に同数配置した構成として、ラッチレバーの回動時にラッチレバーの両側に同様に力がかかるようにして、ラッチレバーがねじれて倒れたりして途中で引っかかる等の異常を回避できる複合加熱炊飯器を実現できるものである。
【図面の簡単な説明】
【図１】  本発明の実施例である複合加熱炊飯器の構成を示す断面図
【図２】  同、ラッチ手段の構成を示す側面図
【図３】  同、電気接続を示す回路図
【図４】  同、フックがラッチ手段に係合した状態を説明する側面図
【図５】  同、ラッチ爪を中心としたラッチレバーの構成を説明する斜視図
【図６】  同、２個のマイクロスイッチを使用した場合の電気接続を示す回路図
【図７】  同、２個のマイクロスイッチを使用した場合のラッチレバーの構成を説明する正面図
【図８】  同、フック挿入口を説明する斜視図
【符号の説明】
１  本体
２  蓋体
２ａ  蓋下
３  鍋
４  保護枠
５  加熱コイル
６  マグネトロン
７ａ  マグネトロン駆動電源
１２  フック
１３  ラッチレバー
１３ａ  ラッチレバー軸
１３ｂ  押しボタン
１４  ラッチ爪
１５  関知部
１５ｂ  縦リブ
１６  検知レバー
１６ａ  検知レバー軸
１８  バネ
２４  フック挿入口
【図１】
0003695034.tif 000002
【図２】
0003695034.tif 000003
【図３】
0003695034.tif 000004
【図４】
0003695034.tif 000005
【図５】
0003695034.tif 000006
【図６】
0003695034.tif 000007
【図７】
0003695034.tif 000008
【図８】
0003695034.tif 000009